(57)【要約】【課題】体積が少なく、輸送及び貯蔵にかかるコストを減らす、吸油、吸水、防火及び防音の機能を有するパッドを提供する。【解決手段】吸油、吸水、防火及び防音の機能を有するパッドは、滑り止め底層１１と、吸油、吸水、防火及び防音の機能を有する機能層１２とを備える。滑り止め底層１１は、機能層１２の底面に結合される。滑り止め底層１１の面密度は６０〜４００ｇ／ｍ２である。機能層１２は、厚さ１．０〜３．５ｍｍ、面密度１５０〜４５０ｇ／ｍ２、吸油及び吸水量０．８〜２．８Ｌ／ｍ２である。滑り止め底層１１は、ポリオレフィンエラストマーがラミネートされて形成された膜層である。機能層１２は、ポリプロピレン難燃布帛材料からなり、電熱焼結により表面が成形される。【選択図】図１
0003204271.tif 000002
【実用新案登録請求の範囲】
【請求項１】
滑り止め底層と、吸油、吸水、防火及び防音の機能を有する機能層と、を備えた、吸油、吸水、防火及び防音の機能を有するパッドであって、
前記滑り止め底層は、前記機能層の底面に結合され、
前記滑り止め底層の面密度は６０〜４００ｇ／ｍ２であり、
前記機能層は、厚さ１．０〜３．５ｍｍ、面密度１５０〜４５０ｇ／ｍ２、吸油及び吸水量０．８〜２．８Ｌ／ｍ２であることを特徴とする、
吸油、吸水、防火及び防音の機能を有するパッド。
【請求項２】
前記滑り止め底層は、ポリオレフィンエラストマーがラミネートされて形成された膜層であることを特徴とする請求項１に記載の吸油、吸水、防火及び防音の機能を有するパッド。
【請求項３】
前記機能層は、ポリプロピレン難燃布帛材料からなり、電熱焼結により表面が成形されることを特徴とする請求項１に記載の吸油、吸水、防火及び防音の機能を有するパッド。
【考案の詳細な説明】
【技術分野】
【０００１】
本考案は、吸油、吸水、防火及び防音の機能を有するパッドに関し、特に、高い滑り止め、吸油、吸水効果を得るとともに、軽量で薄型である特色を有し、切断及び巻取りが容易で、体積が少なく、輸送及び貯蔵にかかるコストを減らすパッドに関する。
【背景技術】
【０００２】
一部の職場では、環境を整頓・清潔にして安全性を確保するために、メーカーは地面上又は各種機械の底部に絨毯を敷き、絨毯を利用して職場で作業過程又は機械の動作により発生する汚れ、油、水などを吸取る。
しかし、このような絨毯は、ポリエチレン（ＰＥ）材料により所定のプレート状体に一体成形され、ポリエチレンからなる絨毯により油、水を吸取ると、膨張、凹凸、延伸などの変形を起こし、絨毯の使用寿命に悪影響を与える。さらに、絨毯を地面上に敷き、人が絨毯上を歩くとき、突出した平坦でない場所に足を引っかけて倒れてしまう虞があり、生命の安全が脅かされる虞がある。
【０００３】
特許文献１は、上述した従来の絨毯を実際に使用した際の欠点に鑑みて本出願人が案出したパッドであり、特許文献１のパッドは、上述したような従来の絨毯の欠点を改善することができる。パッドは、ポリプロピレン（ＰＰ）の上層に形成した吸油及び吸水機能を有する吸収層であり、吸収層の底端面がラミネート加工され、ポリプロピレンの底層と結合成形される。
【０００４】
特許文献１には、防火、難燃性において改善の余地があるため、それに鑑みて本出願人は、パッドを案出した。このパッドでは、パッドの底層に防火難燃剤を添加し、底層の設置によりパッドは良好な防火、難燃効果を有する。しかし、このパッドは、好ましい防火、難燃効果を有するが、全体の厚さが大きいため、全体を巻取ることが困難で、収納して保管したり搬送したりするのに不便である上、防音効果がほとんどなく、改善が求められていた。
【０００５】
上述したような従来技術の問題点を改善するために、本考案者は、吸油、吸水、防火及び防音の機能を有することにより高い経済性を有するパッドを得る。
【先行技術文献】
【特許文献】
【０００６】
【特許文献１】台湾実用新案公告第Ｍ３７２８３８号公報
【考案の概要】
【考案が解決しようとする課題】
【０００７】
本考案の目的は、吸油、吸水、防火及び防音の機能を有し、軽量で薄型であり、容易に切断及び巻取りを行い、体積が少なく、輸送及び貯蔵にかかるコストを減らす、吸油、吸水、防火及び防音の機能を有するパッドを提供することにある。
【課題を解決するための手段】
【０００８】
上記課題を解決するための本考案の第１の形態によれば、滑り止め底層と、吸油、吸水、防火及び防音の機能を有する機能層と、を備えた、吸油、吸水、防火及び防音の機能を有するパッドであって、前記滑り止め底層は、前記機能層の底面に結合され、前記滑り止め底層の面密度は６０〜４００ｇ／ｍ２であり、前記機能層は、厚さ１．０〜３．５ｍｍ、面密度１５０〜４５０ｇ／ｍ２、吸油及び吸水量０．８〜２．８Ｌ／ｍ２であることを特徴とする吸油、吸水、防火及び防音の機能を有するパッドが提供される。
【０００９】
前記滑り止め底層は、ポリオレフィンエラストマーがラミネートされて形成された膜層であることが好ましい。
【００１０】
前記機能層は、ポリプロピレン難燃布帛材料からなり、電熱焼結により表面が成形されることが好ましい。
【考案の効果】
【００１１】
本考案の吸油、吸水、防火及び防音の機能を有するパッドは、吸油、吸水、防火及び防音の機能を有し、軽量で薄型であり、容易に切断及び巻取りを行い、体積が少なく、輸送及び貯蔵にかかるコストを減らす。
【図面の簡単な説明】
【００１２】
【図１】本考案の一実施形態に係る吸油、吸水、防火及び防音の機能を有するパッドを示す分解斜視図である。
【図２】本考案の一実施形態に係る吸油、吸水、防火及び防音の機能を有するパッドを示す斜視図である。
【図３】本考案の一実施形態に係る吸油、吸水、防火及び防音の機能を有するパッドを示す組合せ断面図である。
【図４】本考案の一実施形態に係る吸油、吸水、防火及び防音の機能を有するパッドを自動車のルーフに敷設した状態を示す説明図である。
【図５】本考案の一実施形態に係る吸油、吸水、防火及び防音の機能を有するパッドを巻取るときの状態を示す斜視図である。
【考案を実施するための形態】
【００１３】
以下、本考案の実施形態について図に基づいて説明する。なお、これによって本考案が限定されるものではない。
【００１４】
図１を参照する。図１は、本考案の一実施形態に係る吸油、吸水、防火及び防音の機能を有するパッドを示す分解斜視図である。図１に示すように、本考案の一実施形態に係る吸油、吸水、防火及び防音の機能を有するパッドは、滑り止め底層１１及び機能層１２を含む。
【００１５】
滑り止め底層１１は、ポリオレフィンエラストマー（Ｐｏｌｙｏｌｅｆｉｎ  Ｅｌａｓｔｏｍｅｒ：ＰＯＥ）がラミネートされて形成された膜層である。ポリオレフィンエラストマーは、環境を汚染しない材料であり、良好な滑り止め効果を有する。滑り止め底層１１の面密度は６０〜４００ｇ／ｍ２である。
【００１６】
機能層１２は、ポリプロピレン難燃布帛（ＰＰ  Ｆｌａｍｅ  Ｒｅｔａｒｄａｎｔ  Ｆａｂｒｉｃ）材料からなり、電熱焼結により表面が成形され、吸油、吸水、滑り止め、防火及び防音の機能を有する。機能層１２は、厚さ１．０〜３．５ｍｍ、面密度１５０〜４５０ｇ／ｍ２、吸油及び吸水量０．８〜２．８Ｌ／ｍ２である。
【００１７】
図２及び図３を参照する。図２は、本考案の一実施形態に係る吸油、吸水、防火及び防音の機能を有するパッドを示す斜視図である。図３は、本考案の一実施形態に係る吸油、吸水、防火及び防音の機能を有するパッドを示す組合せ断面図である。
【００１８】
図２及び図３に示すように、機能層１２の底面には、滑り止め底層１１が結合され、滑り止め底層１１によりパッドの底面が滑り止め効果を得るため、パッドを地面に敷設しても位置がずれず、パッドの機能層１２が吸油、吸水、防火及び防音の機能を有し、パッドを様々な分野で利用することができるため実用的である。
【００１９】
例えば、工場又は工事現場の地面又は機械の底部にパッド１を設置し、滑り止め底層１１によりパッド１の敷設位置を固定することができる上、機能層１２は、作業過程で発生したり、機械から漏れ出る油、水を吸収したりすることができる上、機能層１２が中華民国国家規格（Ｃｈｉｎｅｓｅ  Ｎａｔｉｏｎａｌ  Ｓｔａｎｄａｒｄｓ）のＣＮＳ１３５９１を満たす高い防火性能を有し、パッド１を使用する過程で加熱されて燃焼することを防ぐことができ、難燃性が高い。また、機能層１２は、滑り止め効果を有するため、パッド１上を歩く人が滑って転ぶことを防ぐことができる。
【００２０】
また、本考案のパッド１は機能層１２の密度が高いため、防音効果を得ることもできる。
図４を参照する。図４は、本考案の一実施形態に係る吸油、吸水、防火及び防音の機能を有するパッド１を自動車のルーフに敷設した状態を示す説明図であり、自動車内の防音効果を高める。
【００２１】
本考案のパッド１は、機能層１２又はラミネート方式により成形された滑り止め底層１１であっても軽量で薄型であるため、滑り止め底層１１と機能層１２とにより構成されるパッド１も軽量で薄型であるという特色を有する。そのため、適宜なサイズに切断することができる上、パッド１を巻取ることが容易で、容易に運搬することができるとともに、占有体積が少なく、保管及び運送にかかるコストを減らすことができる。
図５は、本考案の一実施形態に係る吸油、吸水、防火及び防音の機能を有するパッドを巻取るときの状態を示す斜視図である。
【００２２】
本考案のパッド１は、厚さが薄い上に、上下面が滑り止め機能を有するため、パッド１を地面に貼り付けることができ、地面との高低差を無くし、人が歩く際にパッド１に足を引っかけて転ぶことを防ぐことができる。
【符号の説明】
【００２３】
１    パッド
１１  滑り止め底層
１２  機能層
【図１】
0003204271.tif 000003
【図２】
0003204271.tif 000004
【図３】
0003204271.tif 000005
【図４】
0003204271.tif 000006
【図５】
0003204271.tif 000007